(57)【要約】      （修正有）【課題】携帯端末でネットワークを介して、画像処理装置と通信可能か判定して、通信が不可能であると判定した場合に印刷ジョブの完了通知を行う方法を提供する。【解決手段】画像処理装置に印刷ジョブを送信して、印刷ジョブの完了予想時刻を特定して、現在時刻が前記印刷ジョブの完了予想時刻になってかつ前記画像処理装置と通信可能と判定した場合に前記画像処理装置から前記印刷ジョブの完了通知を受信することによりユーザに前記印刷ジョブの完了通知を行い、前記画像処理装置と通信不可能と判定した場合にユーザに前記印刷ジョブの完了通知を行う。【選択図】図５
2015052830.tif 000002
【特許請求の範囲】
【請求項１】
情報処理装置と画像処理装置から構成される印刷システムであって、
前記画像処理装置は、
前記情報処理装置から印刷ジョブを受信する受信手段と、
前記印刷ジョブの完了予想時刻を前記情報処理装置に送信する送信手段と、
前記印刷ジョブの処理が完了した場合に前記印刷ジョブの完了を前記情報処理装置に通知する通知手段と、を有し、
前記情報処理装置は、
前記画像処理装置に前記印刷ジョブを送信する送信手段と、
前記印刷ジョブの完了予想時刻を受信する受信手段と、
前記画像処理装置と通信可能か判定する判定手段と、
現在時刻が前記印刷ジョブの完了予想時刻になってかつ前記判定手段が前記画像処理装置と通信不可能と判定した場合にユーザに前記印刷ジョブの完了通知を行う通知手段と、を有することを特徴とする印刷システム。
【請求項２】
前記通知手段は、前記判定手段が前記画像処理装置と通信可能と判定してかつ前記画像処理装置から前記印刷ジョブの完了通知を受信していない場合に前記画像処理装置と通信不可能になるか又は前記画像処理装置から前記印刷ジョブの完了通知を受信するまで待機することを特徴とする請求項１に記載の印刷システム。
【請求項３】
前記送信手段は連絡先を含む前記印刷ジョブを前記画像処理装置に送信して、
前記画像処理装置は、
前記印刷ジョブの処理がエラーになった場合に前記情報処理装置と通信可能か判定する第２の判定手段と、
前記第２の判定手段が前記情報処理装置と通信可能と判定した場合に前記情報処理装置にエラー通知を行い、前記第２の判定手段が前記情報処理装置と通信不可能と判定した場合に前記印刷ジョブに含まれる前記連絡先に対してエラー通知を行う第２の通知手段と、を有することを特徴とする請求項１又は請求項２に記載の印刷システム。
【請求項４】
前記送信手段は前記印刷ジョブの完了予想時刻を補正する情報を前記情報処理装置に定期的に送信して、
前記情報処理装置は、前記印刷ジョブの完了予想時刻を補正する情報に基づいて前記印刷ジョブの完了予想時刻を補正する補正手段と、を有することを特徴とする請求項１乃至３のいずれか１項に記載の印刷システム。
【請求項５】
前記送信手段は、既に処理する印刷ジョブに基づいて前記印刷ジョブの完了予想時刻を前記情報処理装置に送信することを特徴とする請求項１乃至４のいずれか１項に記載の印刷システム。
【請求項６】
前記情報処理装置は前記画像処理装置と近距離無線通信を用いて通信を確立することを特徴とする請求項１乃至５のいずれか１項に記載の印刷システム。
【請求項７】
画像処理装置に印刷ジョブを送信する送信手段と、
前記印刷ジョブの完了予想時刻を特定する特定手段と、
前記画像処理装置と通信可能か判定する判定手段と、
現在時刻が前記印刷ジョブの完了予想時刻になってかつ前記判定手段が前記画像処理装置と通信可能と判定した場合に前記画像処理装置から前記印刷ジョブの完了通知を受信することによりユーザに前記印刷ジョブの完了通知を行い、前記判定手段が前記画像処理装置と通信不可能と判定した場合にユーザに前記印刷ジョブの完了通知を行う通知手段と、を有することを特徴とする情報処理装置。
【請求項８】
前記特定手段は、前記印刷ジョブの完了予想時刻を前記画像処理装置から受信することにより特定することを特徴とする請求項７に記載の情報処理装置。
【請求項９】
前記通知手段は、前記印刷ジョブの完了通知を受信するまで待機している間に、前記印刷ジョブのエラー通知を前記画像処理装置から受信した場合に、ユーザに前記印刷ジョブのエラーを通知することを特徴とする請求項７又は請求項８に記載の情報処理装置。
【請求項１０】
前記送信手段は連絡先を含む前記印刷ジョブを前記画像処理装置に送信することを特徴とする請求項７乃至９のいずれか１項に記載の情報処理装置。
【請求項１１】
前記印刷ジョブの完了予想時刻を補正する情報を前記画像処理装置から受信する受信手段と、
前記印刷ジョブの完了予想時刻を補正する前記情報に基づいて前記印刷ジョブの完了予想時刻を補正する補正手段と、を有することを特徴とする請求項７乃至１０のいずれか１項に記載の情報処理装置。
【請求項１２】
前記画像処理装置と近距離無線通信を用いて通信を確立する通信手段と、を有することを特徴とする請求項７乃至１１のいずれか１項に記載の情報処理装置。
【請求項１３】
コンピュータに、
画像処理装置に印刷ジョブを送信する送信工程と、
前記印刷ジョブの完了予想時刻を特定する特定工程と、
前記画像処理装置と通信可能か判定する判定工程と、
現在時刻が前記印刷ジョブの完了予想時刻になってかつ前記判定工程で前記画像処理装置と通信可能と判定した場合に前記画像処理装置から前記印刷ジョブの完了通知を受信することによりユーザに前記印刷ジョブの完了通知を行い、前記判定工程で前記画像処理装置と通信不可能と判定した場合にユーザに前記印刷ジョブの完了通知を行う通知工程と、を実行させることを特徴とするプログラム。
【請求項１４】
前記特定工程は、前記印刷ジョブの完了予想時刻を前記画像処理装置から受信することにより特定することを特徴とする請求項１３に記載のプログラム。
【請求項１５】
前記通知工程は、前記印刷ジョブの完了通知を受信するまで待機している間に、前記印刷ジョブのエラー通知を前記画像処理装置から受信した場合に、ユーザに前記印刷ジョブのエラーを通知することを特徴とする請求項１３又は請求項１４に記載のプログラム。
【請求項１６】
前記送信工程は連絡先を含む前記印刷ジョブを前記画像処理装置に送信することを特徴とする請求項１３乃至１５のいずれか１項に記載のプログラム。
【請求項１７】
前記コンピュータに、
前記印刷ジョブの完了予想時刻を補正する情報を前記画像処理装置から受信する受信工程と、
前記印刷ジョブの完了予想時刻を補正する前記情報に基づいて前記印刷ジョブの完了予想時刻を補正する補正工程と、を実行させることを特徴とする請求項１３乃至１６のいずれか１項に記載のプログラム。
【請求項１８】
前記コンピュータに、
前記画像処理装置と近距離無線通信を用いて通信を確立する通信工程と、を実行させることを特徴とする請求項１３乃至１７のいずれか１項に記載のプログラム。
【請求項１９】
画像処理装置に印刷ジョブを送信する送信工程と、
前記印刷ジョブの完了予想時刻を特定する特定工程と、
前記画像処理装置と通信可能か判定する判定工程と、
現在時刻が前記印刷ジョブの完了予想時刻になってかつ前記判定工程で前記画像処理装置と通信可能と判定した場合に前記画像処理装置から前記印刷ジョブの完了通知を受信することによりユーザに前記印刷ジョブの完了通知を行い、前記判定工程で前記画像処理装置と通信不可能と判定した場合にユーザに前記印刷ジョブの完了通知を行う通知工程と、を有することを特徴とする制御方法。
【発明の詳細な説明】
【技術分野】
【０００１】
本発明は、印刷ジョブを送信する技術に関する。
【背景技術】
【０００２】
情報処理装置が外部から印刷装置などの画像処理装置に対して例えばネットワークを介して印刷を指示した場合、情報処理装置と画像処理装置の距離が離れていると画像処理装置の印刷を確認するのが煩雑なことがある。これについて、特許文献１は印刷装置に印刷用イメージデータを送信し、印刷装置が印刷を完了した後に外部装置に印刷完了通知を行う技術について開示している。
【先行技術文献】
【特許文献】
【０００３】
【特許文献１】特開平１−２３３２３
【発明の概要】
【発明が解決しようとする課題】
【０００４】
近年、情報処理装置の一例である携帯電話やスマートフォンに代表される携帯端末を介して、画像処理装置に印刷ジョブを送信する印刷システムがある。これに関して、例えばＮＦＣ（Ｎｅａｒ  Ｆｉｅｌｄ  Ｃｏｍｍｕｎｉｃａｔｉｏｎ：近距離無線通信）を利用して携帯端末と画像処理装置との間の通信を実現する形態が存在する。ＮＦＣを利用する場合、ユーザが画像処理装置の近傍にいることが前提であり、画像処理装置の状態をその場で確認することができるため、印刷ジョブの状況も画像処理装置を介してその場で把握することができる。しかしながら、ＮＦＣを利用する場合であっても、印刷ジョブの指示をしてからその印刷ジョブが完了するまでの間に時間がかかる場合、ユーザは必ずしも画像処理装置の近傍に居続けるとは限らない。
【０００５】
すなわち、状況によっては、印刷ジョブの完了時には画像処理装置と携帯端末の通信が不可能となってしまうことがある。しかし、そのような状況においても、例えば印刷ジョブが完了した旨を印刷が完了する目安となるタイミングでユーザに通知できることが望ましい。
【０００６】
本発明は、上記の問題点を鑑みてなされたものであり、画像処理装置と通信可能か判定して、通信が不可能であると判定した場合に印刷ジョブの完了通知を行うことを目的とする。
【課題を解決するための手段】
【０００７】
上記の目的を達成するための本発明に係る情報処理装置は、
画像処理装置に印刷ジョブを送信する送信手段と、
前記印刷ジョブの完了予想時刻を特定する特定手段と、
前記画像処理装置と通信可能か判定する判定手段と、
現在時刻が前記印刷ジョブの完了予想時刻になってかつ前記判定手段が前記画像処理装置と通信可能と判定した場合に前記画像処理装置から前記印刷ジョブの完了通知を受信することによりユーザに前記印刷ジョブの完了通知を行い、前記判定手段が前記画像処理装置と通信不可能と判定した場合にユーザに前記印刷ジョブの完了通知を行う通知手段と、を有することを特徴とする。
【発明の効果】
【０００８】
本発明によれば、上記の問題点を鑑みてなされたものであり、画像処理装置と通信可能か判定して、通信が不可能であると判定した場合に印刷ジョブの完了通知を行うことができる。
【図面の簡単な説明】
【０００９】
【図１】印刷システムの構成を示す図。
【図２】情報処理装置のブロック図。
【図３】画像処理装置のブロック図。
【図４】印刷システムのソフトウェア構成図。
【図５】印刷システムの流れを示すフローチャート。
【図６】情報処理装置における画像処理装置の登録処理の画面を示す図。
【図７】印刷ジョブの完了予想時間のタイマーの画面を示す図。
【図８】印刷ジョブの完了通知の画面を示す図。
【図９】実施例２における印刷システムの流れを示すフローチャート。
【図１０】実施例２における画像処理装置のエラー時の処理を示すフローチャート。
【図１１】実施例２における印刷ジョブのエラー通知の画面を示す図。
【発明を実施するための形態】
【００１０】
以下の実施の形態は特許請求の範囲に係る本発明を限定するものでなく、また各実施形態で説明されている特徴の組み合わせの全てが本発明の解決手段に必須のものとは限らない。
【実施例１】
【００１１】
はじめに、本実施例における印刷システムの構成について説明する。図１は本実施例における印刷システムの一例である。ネットワーク１００に画像処理装置１０１と情報処理装置１０２が接続されている。情報処理装置１０２にはＯＳおよびアプリケーションがインストールされている。このシステムにおいて、ユーザは情報処理装置１０２からアプリケーションを利用して印刷ジョブを画像処理装置１０１に送信する。情報処理装置１０２が一般的なＰＣ（Ｐｅｒｓｏｎａｌ  Ｃｏｍｐｕｔｅｒ：パーソナルコンピュータ）に代表される情報機器である場合、アプリケーションとしてプリンタドライバを介して対象となる画像処理装置１０１へ印刷ジョブを送信する構成が考えられる。また、情報処理装置１０２が携帯電話やスマートフォンに代表される携帯端末である場合、情報処理装置１０２内の印刷アプリケーションを介して対象となる画像処理装置１０１へ印刷ジョブを送信する構成が考えられる。特に、ＮＦＣ（Ｎｅａｒ  Ｆｉｅｌｄ  Ｃｏｍｍｕｎｉｃａｔｉｏｎ：近距離無線通信）を利用可能な画像処理装置１０１および情報処理装置１０２の場合、ネットワーク１００外におけるＮＦＣによる通信によりペアリングを行い、そのペアリングによる送受信情報を元にネットワーク１００へ参加する構成が考えられる。
【００１２】
次に、印刷システムを構成する機器のハードウェア構成について説明する。図２は情報処理装置１０２のブロック図である。入力装置２０６はユーザが情報処理装置を操作するためのキーボードやマウスあるいはタッチパネルに相当する。表示装置２０７はユーザが情報処理装置１０２を操作するためのディスプレイに相当する。例えばタッチパネルのように表示装置２０７の一部または全部が入力装置２０６を兼ねている構成もある。記憶装置２０５は、大容量のデータを保存するための不揮発性のハードディスクに代表される記憶媒体に相当し、アプリケーションやデータの読み書きが行われる。ネットワーク装置２０８は図１で説明したネットワーク１００に接続され、他の機器と通信を行うことが可能である。
【００１３】
通常、情報処理装置１０２を起動するための初期プログラムや情報処理装置１０２の各モジュールを制御するための基本的なプログラムはＲＯＭ２０３に保存されている。またＯＳやアプリケーションは記憶装置２０５に保存されている。情報処理装置１０２の電源が投入されると、まずＲＯＭ２０３に保存されているコンピュータを起動するためのプログラム（ブートローダ）が実行され、そのプログラムが記憶装置２０５に保存されているＯＳをＲＡＭ２０２にロードし、その後、制御権をＯＳに渡す。ＯＳは必要なモジュールやドライバをさらに記憶装置２０５からＲＡＭ２０２に読み込む。さらにユーザの指示により、必要なアプリケーションを記憶装置２０５からＲＡＭ２０２に読み込み、実行する。
【００１４】
図３は画像処理装置１０１のブロック図である。ＣＰＵ３０１、ＲＡＭ３０２、ＲＯＭ３０３、記憶装置３０５、表示装置３０７、ネットワーク装置３０８は情報処理装置１０２の構成と同様であるため説明は省略する。入力装置３０６はテンキーや各種ボタン等で構成される場合もある。印刷装置３０４は印刷ジョブに含まれる印刷データをＲＡＭ３０２にロードし、印刷を実行して印刷物を出力する。
【００１５】
続いて、本実施例における印刷システムを構成する機器の機能について説明する。図４は本実施例における印刷システムのソフトウェア構成を示す図である。本明細書の情報処理装置１０２のフローチャートは、各機器の記憶装置２０５および３０５に保存されたプログラムをＲＡＭ２０２および３０２にロードし、ＣＰＵ２０１および３０１により実行することで実現される。
【００１６】
画像処理装置１０１は、通信部４０１、印刷部４０２、入出力制御部４０３を備える。通信部４０１はネットワーク１００を通じて他の機器との通信を実現する。印刷部４０２は画像処理装置１０１内の印刷ジョブを実行し、印刷物の出力を実現する。入出力制御部４０３は入力装置３０６からの入力情報や、表示装置３０７への出力情報の制御を実現する。
【００１７】
情報処理装置１０２は、通信部４１１、ジョブ作成部４１２、入出力制御部４１３を備える。通信部４１１はネットワーク１００を通じて他の機器との通信を実現する。ジョブ作成部４１２は画像処理装置１０１が解釈可能な印刷データを印刷ジョブとして作成することを実現する。入出力制御部４１３は入力装置２０６からの入力情報や、表示装置２０７への出力情報の制御を実現する。
【００１８】
これらの機器が通信部４０１および４１１を介して通信することにより、印刷システムを形成している。
【００１９】
以下、本実施例における印刷システムの処理について説明する。図５は本実施例における印刷システムの流れを示すフローチャートである。Ｓ５０１からＳ５０４までの処理は印刷ジョブを送信するまでの処理であり、Ｓ５１１以降の処理は、印刷ジョブの完了通知に関する処理である。印刷ジョブを送信するまでの処理は、以下の手順からなる。
【００２０】
Ｓ５０１において、情報処理装置１０２は画像処理装置１０１との通信を確立する。これは情報処理装置１０２が一般的なＰＣの場合、プリンタドライバによる画像処理装置１０１の登録に相当する。この登録処理の画面の例を図６に示す。機種選択部６０１を介して、ユーザは対象とする画像処理装置１０１の機種を指定する。また、ＩＰアドレス指定部６０２を介して、ユーザは対象とする画像処理装置１０１のＩＰアドレスを指定する。情報処理装置１０２が携帯端末の場合も、同様の機能を有するアプリケーションを用いて同様の設定を行う。一方、ＮＦＣを利用可能な画像処理装置１０１および情報処理装置１０２の場合、非接触ＩＣタグを介して、上述の設定に相当する情報をやりとりすることにより、図６に示すようなＵＩによる設定無しに、通信の確立を実現する構成であってもよい。
【００２１】
Ｓ５０２において、情報処理装置１０２は通信部４１１を介して、画像処理装置１０１へ印刷ジョブを送信する。印刷ジョブは情報処理装置１０２のジョブ作成部４１２により作成され、印刷データや印刷設定を含む。ここにおける印刷データとは、実際に印刷対象となるデータそのものであってもよい。この場合、画像処理装置１０１が解釈可能なように印刷対象となるデータを情報処理装置１０２で加工したものである。また、印刷対象となるデータがネットワーク１００上に存在するサーバ（不図示）上にある場合は、そのアドレスを示す情報であってもよい。また印刷ジョブにはその印刷ジョブを一意に特定するためのジョブＩＤを含んでいてもよい。
【００２２】
Ｓ５０３において、画像処理装置１０１は、Ｓ５０２において送信された印刷ジョブを受信し、その受信した印刷ジョブの完了予想時間を推計する。この時、画像処理装置１０１で既に処理中の別の印刷ジョブがある場合や、優先的に処理すべき別の印刷ジョブがある場合、それらの処理にかかる時間を考慮した上でその印刷ジョブの完了予想時間を推計する。
【００２３】
Ｓ５０４において、情報処理装置１０２は、Ｓ５０３において推計された印刷ジョブの完了予想時間を受信し、その完了予想時間に基づいて、ジョブ完了の通知タイマーをセットする。このタイマーはＳ５０２において、画像処理装置１０１へ印刷ジョブを送信したアプリケーションと同一のアプリケーションにより実現するものであってもよいし、別のアプリケーションにより実現するものであってもよい。またタイマーの構成として、印刷ジョブの完了予想時間に基づいて減算されるタイマーであってもよいし、印刷ジョブの完了予想時間に基づいた時刻（完了予想時刻）を指定するタイマーであってもよい。なお、印刷ジョブの完了予想時間に基づいて減算されるタイマーも実質的には完了予想時刻を特定していることと同じである。このタイマーの画面の例を図７に示す。タイマーはＳ５０２で印刷ジョブを送信した際の画像処理装置の情報を７０１に、送信した印刷ジョブの情報を７０２に表示する。また、タイマーはＳ５０３において推計された印刷ジョブの完了予想時間を元に７０３に表示する。
【００２４】
以降、ジョブ完了の通知に関する処理について説明する。印刷ジョブの完了通知は、基本的にはＳ５０４において情報処理装置１０２に設定されたタイマーを利用して実現されるが、画像処理装置１０１との通信が可能か否かに応じて、より適切なタイミングで完了通知を行う。その手順を以下に詳説する。
【００２５】
Ｓ５１１において、情報処理装置１０２は画像処理装置１０１から印刷ジョブの完了通知があるか否かを確認する。これは、情報処理装置１０２に設定されたタイマーが切れる前に、画像処理装置１０１から印刷ジョブの完了通知があった場合、タイマーの終了を待たずにユーザへの完了通知を行うための判定である。Ｓ５１１において、画像処理装置１０１から印刷ジョブの完了通知があった場合にはＳ５１４の処理へ進む。そうでない場合、Ｓ５１２において、情報処理装置１０２はＳ５０４で設定したタイマーが定刻（現在時刻）になったかどうかを判定する。
【００２６】
Ｓ５１２において、タイマーが定刻になっていない場合には再びＳ５１１の確認処理に戻り、タイマーが定刻になった場合、Ｓ５１３の処理へ進む。つまり、画像処理装置１０１から印刷ジョブの完了通知があるか、あるいは情報処理装置１０２に設定されたタイマーが定刻になるまで、Ｓ５１１およびＳ５１２の処理を繰り返す。
【００２７】
Ｓ５１３において、情報処理装置１０２はＳ５０４で設定したタイマーを解除する。
【００２８】
続いて、Ｓ５２１において、情報処理装置１０２は画像処理装置１０１と通信可能か否かを確認する。Ｓ５２１において、通信が可能である場合にはＳ５２２の処理へ進み、通信不可能である場合Ｓ５３１の処理へ進む。Ｓ５２２において、情報処理装置１０２は画像処理装置１０１から印刷ジョブの完了通知があるか否かを確認する。Ｓ５２２において、印刷ジョブの完了通知がない場合には再びＳ５２１の確認処理に戻り再度通信可能か判定する。これにより完了通知がくるまで待機する。印刷ジョブの完了通知があった場合にはＳ５３１の処理へ進む。
【００２９】
Ｓ５２１およびＳ５２２の処理は、情報処理装置１０２に設定されたタイマーが切れた際、画像処理装置１０１から印刷ジョブの完了通知を受け取れる状態か否かを判定している。もし通知を受け取れる状態であれば、タイマーが定刻になった場合であっても、画像処理装置１０１からの印刷ジョブの完了通知をもってユーザにジョブ完了のタイミングを通知することが可能となる。そのため、画像処理装置１０１との通信が可能である限り、Ｓ５２１およびＳ５２２の処理を繰り返す。
【００３０】
Ｓ５３１において、情報処理装置１０２は印刷ジョブが完了した旨をユーザに通知する。この通知の画面の例を図８に示す。情報処理装置１０２はＳ５０２で印刷ジョブを送信した際の画像処理装置の情報を８０１に、送信した印刷ジョブの情報を８０２に表示する。また、情報処理装置はその印刷ジョブが完了した旨を８０３に表示する。
【００３１】
このように、ジョブ送信時に印刷ジョブの完了予想時間を推計し、それを情報処理装置１０２に通知しておくことにより、印刷ジョブの完了時に情報処理装置１０２と画像処理装置１０１とが通信ができない状態であっても、印刷ジョブの完了をユーザに通知することができる。また、情報処理装置１０２と画像処理装置１０１の通信が可能な場合は、より正確なタイミングで印刷ジョブの完了の通知を行うことが可能となる。
【実施例２】
【００３２】
画像処理装置１０１において、用紙切れやトナー切れ、その他の要因により、印刷ジョブを継続できなくなるケースが存在する。実施例１の印刷システムにおいて、印刷ジョブを継続できなくなるケースのエラー処理を想定した印刷システムについて、以下に示す。
【００３３】
図９は本実施例における印刷システムの流れを示すフローチャートである。実施例１におけるフローチャート図５との差のある部分について、以下に詳説する。
【００３４】
本実施例では、Ｓ９０２において、情報処理装置１０２が画像処理装置１０１へ送信する印刷ジョブに、エラー連絡先情報を含むことを特徴とする。エラー連絡先情報とは、ネットワーク１００を介した画像処理装置１０１と情報処理装置１０２の通信が不可能な場合であっても、情報処理装置１０２からエラー情報を参照可能な連絡先を指定するための情報である。例えば、情報処理装置１０２から参照可能なＥ−ｍａｉｌのアドレスや、特定のＷｅｂページのＵＲＬに相当する。
【００３５】
情報処理装置１０２は、後述するＳ１００３において画像処理装置１０１の発するエラー通知を受信するため、Ｓ９１０からＳ９４０の処理を実現する。Ｓ９１１、Ｓ９１２、Ｓ９１３、Ｓ９１４の処理は図５におけるＳ５１１、Ｓ５１２、Ｓ５１３、Ｓ５１４に相当する。また、Ｓ９２１、Ｓ９２２、Ｓ９３１の処理は、図５におけるＳ５２１、Ｓ５２２、Ｓ５３１に相当する。
【００３６】
Ｓ９１０において、情報処理装置１０２は画像処理装置１０１からのエラー通知があるか否かを確認する。Ｓ９１０において、エラー通知が無い場合は、Ｓ９１１以降の処理へ進む。そうでない場合、Ｓ９３０において、情報処理装置１０２はＳ９０４で設定したタイマーを解除する。同様に、Ｓ９２０において、情報処理装置１０２は画像処理装置１０１からのエラー通知があるか否かを確認する。Ｓ９２０において、エラー通知が無い場合はＳ９２１以降の処理へ進み、そうでない場合はＳ９４０の処理へ進む。尚、Ｓ９１０およびＳ９２０で確認するエラー通知は、後述するＳ１００３の処理により通知されるものである。
【００３７】
Ｓ９４０において、情報処理装置１０２は印刷ジョブの完了前に画像処理装置１０１がエラーとなり、印刷ジョブの継続ができなくなった旨をユーザに通知する。この通知処理の画面の例を図１１に示す。情報処理装置１０２はＳ９０２で印刷ジョブを送信した際の画像処理装置の情報を１１０１に、送信した印刷ジョブの情報を１１０２に表示する。また、情報処理装置はその印刷ジョブがエラーにより完了しなかった旨を１１０３に表示する。
【００３８】
図１０を用いて画像処理装置１０１の処理について説明する。画像処理装置１０１が何かしらの要因によりエラーが発生した場合、画像処理装置１０１は図１０に示す手順により、情報処理装置１０２へエラーの通知を行う。
【００３９】
Ｓ１００１において、画像処理装置１０１は発生したエラーが印刷ジョブを継続することができないエラーか否かを判定する。Ｓ１００１において、印刷ジョブの継続ができないエラーだと判定された場合、Ｓ１００２の処理へ進む。Ｓ１００２において、画像処理装置１０１は、画像処理装置１０１と情報処理装置１０２とがネットワーク１００を介して通信が可能か否かを判定する。Ｓ１００２において通信が可能と判定された場合、Ｓ１００３において、通常の印刷ジョブの完了通知と同様に、ネットワーク１００を介してエラー通知を情報処理装置１０２に対して行う。一方、Ｓ１００２において、通信が不可能と判定された場合、Ｓ１００４において、前述のＳ９０２で受信した印刷ジョブに含まれているエラー連絡先情報に対して、エラー通知を行うことで、間接的に情報処理装置１０２に対するエラー通知を実現する。
【００４０】
このように、画像処理装置１０１および情報処理装置１０２でエラー処理を想定した動作をすることにより、エラー発生時に情報処理装置１０２と画像処理装置１０１の通信ができない場合であっても、エラーの発生をユーザに通知することができる。
【００４１】
（その他の形態）
上述の実施例では、ＮＦＣを利用可能な画像処理装置１０１および情報処理装置１０２の場合、ネットワーク１００外におけるＮＦＣによる通信によりペアリングを行い、そのペアリングによる送受信情報を元にネットワーク１００へ参加する構成について記述した。これに関して、ＮＦＣによる通信により、Ｓ５０２およびＳ９０２における印刷ジョブの送信を実現する構成であってもよい。
【００４２】
また、上述の実施例では、Ｓ５０４およびＳ９０４で情報処理装置１０２がタイマーをセットした後は、タイマーの補正が行われなかった。これに関して、画像処理装置１０１のジョブ処理の状態に変化がある場合に、タイマーの補正のための情報を画像処理装置１０１から受信し、それに基づき情報処理装置がタイマーの補正を行う構成であってもよい。同様に、画像処理装置１０１が一定間隔で情報処理装置１０２に対してタイマー補正のための情報を送信する構成であってもよい。
【００４３】
さらに、本発明は、以下の処理を実行することによっても実現される。
【００４４】
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４５】
１０１  画像処理装置
１０２  情報処理装置
【図１】
2015052830.tif 000003
【図２】
2015052830.tif 000004
【図３】
2015052830.tif 000005
【図４】
2015052830.tif 000006
【図５】
2015052830.tif 000007
【図６】
2015052830.tif 000008
【図７】
2015052830.tif 000009
【図８】
2015052830.tif 000010
【図９】
2015052830.tif 000011
【図１０】
2015052830.tif 000012
【図１１】
2015052830.tif 000013